【手続補正書】
【提出日】平成26年3月26日(2014.3.26)
【手続補正１】
【補正対象書類名】明細書
【補正対象項目名】発明の名称
【補正方法】変更
【補正の内容】
【発明の名称】撮像装置、その制御方法および記憶媒体
【手続補正２】
【補正対象書類名】明細書
【補正対象項目名】００１１
【補正方法】変更
【補正の内容】
【００１１】
上記目的を達成するために、請求項１記載の撮像装置は、接眼部を有するファインダと、前記接眼部に物体が接近したことを検知する接近検知手段と、タッチパネル式の表示手段と、前記接近検知手段で物体が接近したことを検知すると前記表示手段の発光輝度を低減または消灯させるように制御する制御手段と、前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御手段と、前記第１の種別の表示オブジェクトに対するタッチ操作が検出されると、当該第１の種別の表示オブジェクトに割り当てられた機能を実行する実行手段と、前記接近検知手段が備えられた第１の筺体、及び該第１の筐体に対して回動自在に取り付けられ且つ前記表示手段を備えた第２の筺体と、前記第１の筺体に対する前記第２の筺体の姿勢を検出する姿勢検出手段と、を有し、前記表示制御手段は、前記姿勢検出手段によって検出された前記第２の筐体の姿勢に基づいて、前記第２の筺体が前記表示手段の表示面が視認できるように前記第１の筺体に対して閉じられた姿勢である場合に第２の種別の表示オブジェクトとして表示していた情報を、前記第２の筺体が前記第１の筺体に対して開かれた姿勢である場合には第１の種別の表示オブジェクトとして表示するように制御することを特徴とする。
【手続補正３】
【補正対象書類名】明細書
【補正対象項目名】００１２
【補正方法】変更
【補正の内容】
【００１２】
また、上記目的を達成するために、請求項１９記載の撮像装置の制御方法は、接眼部を有するファインダと、前記接眼部に物体が接近したことを検知する接近検知手段と、タッチパネル式の表示手段と、前記接近検知手段が備えられた第１の筺体、及び該第１の筐体に対して回動自在に取り付けられ且つ前記表示手段を備えた第２の筺体とを有する撮像装置の制御方法であって、前記接近検知手段で物体が接近したことを検知すると前記表示手段の発光輝度を低減または消灯させるように制御する制御ステップと、前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御ステップと、前記第１の種別の表示オブジェクトに対するタッチ操作が検出されると、当該第１の種別の表示オブジェクトに割り当てられた機能を実行する実行ステップと、前記第１の筺体に対する前記第２の筺体の姿勢を検出する姿勢検出ステップと、を有し、前記表示制御ステップは、前記姿勢検出ステップで検出された前記第２の筐体の姿勢に基づいて、前記第２の筺体が前記表示手段の表示面が視認できるように前記第１の筺体に対して閉じられた姿勢である場合に第２の種別の表示オブジェクトとして表示していた情報を、前記第２の筺体が前記第１の筺体に対して開かれた姿勢である場合には第１の種別の表示オブジェクトとして表示するように制御することを特徴とする。
【手続補正４】
【補正対象書類名】明細書
【補正対象項目名】００１３
【補正方法】変更
【補正の内容】
【００１３】
また、上記目的を達成するために、請求項２１記載のコンピュータで読み取り可能な記憶媒体は、請求項１９又は２０に記載された撮像装置の制御方法をコンピュータに実行させるためのプログラムを格納したことを特徴とする。
【手続補正５】
【補正対象書類名】特許請求の範囲
【補正対象項目名】全文
【補正方法】変更
【補正の内容】
【特許請求の範囲】
【請求項１】
接眼部を有するファインダと、
前記接眼部に物体が接近したことを検知する接近検知手段と、
タッチパネル式の表示手段と、
前記接近検知手段で物体が接近したことを検知すると前記表示手段の発光輝度を低減または消灯させるように制御する制御手段と、
前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御手段と、
前記第１の種別の表示オブジェクトに対するタッチ操作が検出されると、当該第１の種別の表示オブジェクトに割り当てられた機能を実行する実行手段と、
前記接近検知手段が備えられた第１の筺体、及び該第１の筐体に対して回動自在に取り付けられ且つ前記表示手段を備えた第２の筺体と、
前記第１の筺体に対する前記第２の筺体の姿勢を検出する姿勢検出手段と、を有し、
前記表示制御手段は、前記姿勢検出手段によって検出された前記第２の筐体の姿勢に基づいて、前記第２の筺体が前記表示手段の表示面が視認できるように前記第１の筺体に対して閉じられた姿勢である場合に第２の種別の表示オブジェクトとして表示していた情報を、前記第２の筺体が前記第１の筺体に対して開かれた姿勢である場合には第１の種別の表示オブジェクトとして表示するように制御する
ことを特徴とする撮像装置。
【請求項２】
接眼部を有するファインダと、
前記接眼部に物体が接近したことを検知する接近検知手段と、
タッチパネル式の表示手段と、
前記接近検知手段で物体が接近したことを検知すると前記表示手段の発光輝度を低減または消灯させるように制御する制御手段と、
前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御手段と、
前記第１の種別の表示オブジェクトに対するタッチ操作が検出されると、当該第１の種別の表示オブジェクトに割り当てられた機能を実行する実行手段と、
前記接近検知手段が備えられた第１の筺体、及び該第１の筐体に対して回動自在に取り付けられ且つ前記表示手段を備えた第２の筺体と、
前記第１の筺体に対する前記第２の筺体の姿勢を検出する姿勢検出手段と、を有し、
前記実行手段は、前記姿勢検出手段によって検出された前記第２の筐体の姿勢に基づいて、前記第２の筺体が前記表示手段の表示面が視認できるように前記第１の筺体に対して閉じられた姿勢である場合に表示していた前記第２の種別の表示オブジェクトに対してタッチ操作が行われても、前記第２の種別の表示オブジェクトに割り当てられた機能を実行しない一方、前記第２の筺体が前記第１の筺体に対して開かれた姿勢である場合には前記第２の種別の表示オブジェクトに対するタッチ操作に応じて前記第２の種別の表示オブジェクトに割り当てられた機能を実行する
ことを特徴とする撮像装置。
【請求項３】
前記接近検知手段によって前記物体が検知された場合、前記表示手段に対するタッチ操作を無効にするように制御する入力制御手段を更に備えることを特徴とする請求項１又は２記載の撮像装置。
【請求項４】
前記接近検知手段を有効または無効に切り替える接近検知切替手段を更に備えることを特徴とする請求項１乃至３のいずれか１項に記載の撮像装置。
【請求項５】
撮影モードである場合、前記接近検知切替手段は、前記接近検知手段を有効にし、前記表示制御手段は、前記接近検知手段によって前記物体が検知されない場合、前記表示手段に前記第１の種別の表示オブジェクトおよび前記第２の種別の表示オブジェクトを表示させ、前記接近検知手段によって前記物体が検知された場合、前記表示手段の発光輝度を低減または消灯させることを特徴とする請求項４記載の撮像装置。
【請求項６】
撮影モードでない場合、前記接近検知切替手段は、前記接近検知手段を無効に切り替え、前記表示制御手段は、前記接近検知手段からの距離に関わらず、前記表示手段に前記第１の種別の表示オブジェクトを表示させることを特徴とする請求項４または５に記載の撮像装置。
【請求項７】
前記表示制御手段は、シャッタースピード優先モード時の絞り値を表す表示オブジェクトを、前記第２の種別の表示オブジェクトとして表示するように制御することを特徴とする請求項１乃至６のいずれか１項に記載の撮像装置。
【請求項８】
前記表示制御手段は、絞り優先モード時のシャッタースピード値を表す表示オブジェクトを、前記第２の種別の表示オブジェクトとして表示するように制御することを特徴とする請求項１乃至７のいずれか１項に記載の撮像装置。
【請求項９】
前記表示制御手段は、プログラムモード時のシャッタースピード値および絞り値を、前記第２の種別の表示オブジェクトとして表示することを特徴とする請求項１乃至８のいずれか１項に記載の撮像装置。
【請求項１０】
前記表示制御手段は、前記表示手段に表示される前記第２の種別の表示オブジェクトの表示態様を前記第１の種別の表示オブジェクトとは異ならせることを特徴とする請求項１乃至９のいずれか１項に記載の撮像装置。
【請求項１１】
前記表示制御手段は、前記表示手段に表示される前記第２の種別の表示オブジェクトの彩度、明度、色の少なくとも一つを前記第１の種別の表示オブジェクトとは異ならせることを特徴とする請求項１０記載の撮像装置。
【請求項１２】
前記表示制御手段は、前記第２の種別の表示オブジェクトを前記第１の種別の表示オブジェクトに対してネガポジ反転で前記表示手段に表示させることを特徴とする請求項１０記載の撮像装置。
【請求項１３】
前記表示制御手段は、前記表示手段に表示される前記第１の種別の表示オブジェクトを当該第１の種別の表示オブジェクトの背景に対して突出させ、前記第２の種別の表示オブジェクトを、前記第１の種別の表示オブジェクトより突出量が少なく見えるように、あるいは突出量ゼロ、もしくは凹んで見えるようにすることを特徴とする請求項１０記載の撮像装置。
【請求項１４】
前記表示制御手段は、前記表示手段に表示される前記第２の種別の表示オブジェクトの表示範囲にはタッチ操作ができないことを示すガイダンスを表示するように制御することを特徴とする請求項１０乃至１３の何れか１項に記載の撮像装置。
【請求項１５】
前記表示手段の表示面のうち、前記第２の種別の表示オブジェクトが表示される表示範囲では、タッチ操作の検出を行わないように制御するタッチ検出制御手段を更に有することを特徴とする請求項１乃至１４のいずれか１項に記載の撮像装置。
【請求項１６】
前記表示制御手段は、再生モード時には、前記接近検知手段からの距離に関わらず、前記表示手段の表示面に前記第１の種別の表示オブジェクトを表示させ、かつ、前記表示手段の表示面のうち、撮影モードにおいて前記第２の種別の表示オブジェクトを表示する表示範囲には、撮影モードでは用いない前記第１の種別の表示オブジェクトを表示させるように制御することを特徴とする請求項１乃至１５のいずれか１項に記載の撮像装置。
【請求項１７】
前記第１の種別の表示オブジェクト及び前記第２の種別の表示オブジェクトは前記撮像装置に設定されている撮像条件を表す表示オブジェクトであることを特徴とする請求項１乃至１６のいずれか１項に記載の撮像装置。
【請求項１８】
前記タッチパネル式の表示手段とは異なる、前記第２の種別の表示オブジェクトが表す撮影条件の設定値を変更する操作を受け付ける操作部材をさらに有することを特徴とする請求項１７記載の撮像装置。
【請求項１９】
接眼部を有するファインダと、前記接眼部に物体が接近したことを検知する接近検知手段と、タッチパネル式の表示手段と、前記接近検知手段が備えられた第１の筺体、及び該第１の筐体に対して回動自在に取り付けられ且つ前記表示手段を備えた第２の筺体とを有する撮像装置の制御方法であって、
前記接近検知手段で物体が接近したことを検知すると前記表示手段の発光輝度を低減または消灯させるように制御する制御ステップと、
前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御ステップと、
前記第１の種別の表示オブジェクトに対するタッチ操作が検出されると、当該第１の種別の表示オブジェクトに割り当てられた機能を実行する実行ステップと、
前記第１の筺体に対する前記第２の筺体の姿勢を検出する姿勢検出ステップと、を有し、
前記表示制御ステップは、前記姿勢検出ステップで検出された前記第２の筐体の姿勢に基づいて、前記第２の筺体が前記表示手段の表示面が視認できるように前記第１の筺体に対して閉じられた姿勢である場合に第２の種別の表示オブジェクトとして表示していた情報を、前記第２の筺体が前記第１の筺体に対して開かれた姿勢である場合には第１の種別の表示オブジェクトとして表示するように制御する
ことを特徴とする撮像装置の制御方法。
【請求項２０】
接眼部を有するファインダと、前記接眼部に物体が接近したことを検知する接近検知手段と、タッチパネル式の表示手段と、前記接近検知手段が備えられた第１の筺体、及び該第１の筐体に対して回動自在に取り付けられ且つ前記表示手段を備えた第２の筺体とを有する撮像装置の制御方法であって、
前記接近検知手段で物体が接近したことを検知すると前記表示手段の発光輝度を低減または消灯させるように制御する制御ステップと、
前記接近検知手段で物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示手段の表示面のうち前記接近検知手段から遠い位置に表示するように制御する表示制御ステップと、
前記第１の種別の表示オブジェクトに対するタッチ操作が検出されると、当該第１の種別の表示オブジェクトに割り当てられた機能を実行する実行ステップと、
前記第１の筺体に対する前記第２の筺体の姿勢を検出する姿勢検出ステップと、を有し、
前記実行ステップは、前記姿勢検出ステップで検出された前記第２の筐体の姿勢に基づいて、前記第２の筺体が前記表示手段の表示面が視認できるように前記第１の筺体に対して閉じられた姿勢である場合に表示していた前記第２の種別の表示オブジェクトに対してタッチ操作が行われても、前記第２の種別の表示オブジェクトに割り当てられた機能を実行しない一方、前記第２の筺体が前記第１の筺体に対して開かれた姿勢である場合には前記第２の種別の表示オブジェクトに対するタッチ操作に応じて前記第２の種別の表示オブジェクトに割り当てられた機能を実行する
ことを特徴とする撮像装置の制御方法。
【請求項２１】
請求項１９又は２０に記載された撮像装置の制御方法をコンピュータに実行させるためのプログラムを格納したことを特徴とするコンピュータで読み取り可能な記憶媒体。